(57)【要約】【課題】平面型ディスプレイの表示面の冷却むら抑制することができる電子看板を提供する。【解決手段】平面型ディスプレイ１０を筐体８に納め、筐体８に平面型ディスプレイ１０の表示面１１と対向する位置に表示面１１との間に隙間をあけて透明板１２を設け、透明板１２を通して表示面１１を外側から視認可能にした電子看板１において、隙間３０Ａには表示面１１の一端縁部１１Ｂから他端縁部１１Ａに向けて冷却風を送風し、冷却風の一部は一端縁部１１Ｂから分岐して一端縁部１１Ｂと他端縁部１１Ａとの間に供給する構成とする。【選択図】図４
2011180182.tif 000002
【特許請求の範囲】
【請求項１】
平面型ディスプレイを筐体に納め、前記筐体に前記平面型ディスプレイの表示面と対向する位置に前記表示面との間に隙間をあけて透明板を設け、前記透明板を通して前記表示面を外側から視認可能にした電子看板において、
前記隙間には前記表示面の一端縁部から他端縁部に向けて冷却風を送風し、前記冷却風の一部は前記一端縁部から分岐して前記一端縁部と前記他端縁部との間に供給したことを特徴とする電子看板。
【請求項２】
前記一端縁部から分岐した前記冷却風を前記表示面の両側部から供給したことを特徴とする請求項１に記載の電子看板。
【請求項３】
前記一端縁部と前記他端縁部との間に前記冷却風を供給する供給口を備え、この供給口を前記他端縁部に向けて斜めに配置したことを特徴とする請求項１又は２に記載の電子看板。
【請求項４】
前記一端縁部と前記他端縁部との間に前記冷却風を供給する供給風路を形成し、この供給風路を断熱材で被覆したことを特徴とする請求項１乃至３のいずれかに記載の電子看板。
【請求項５】
縦長の前記平面型ディスプレイを前記筐体内に立てた状態で納め、前記冷却風を前記表示面の下端縁部から上端縁部に向けて流したことを特徴とする請求項１乃至４のいずれかに記載の電子看板。
【請求項６】
前記一端縁部と前記他端縁部との間に前記冷却風を供給する供給口を備え、この供給口を前記他端縁部から前記表示面の長さの４分の１の位置に配置したことを特徴とする請求項１乃至５のいずれかに記載の電子看板。
【発明の詳細な説明】
【技術分野】
【０００１】
本発明は、液晶ディスプレイ等のフラットパネルディスプレイに広告を表示する電子看板に係り、特に、当該フラットパネルディスプレイの表示面を均一に冷却する技術に関する。
【背景技術】
【０００２】
液晶ディスプレイを備え、この液晶ディスプレイに映像や文字等の広告情報を表示する電子看板（「デジタルサイネージ」とも称される）が知られている。また、電子看板を街頭等の屋外で使用可能にすべく、液晶ディスプレイを筐体に密閉して風雨やダストから保護したものが知られている。このように液晶ディスプレイを筐体に密閉した場合には、筐体の内部から外部へ熱が逃げにくく、液晶ディスプレイを自然空冷することができなくなる。そこで従来では、液晶ディスプレイを空冷する空冷手段を筐体に内蔵し、液晶ディスプレイを強制空冷している（例えば、特許文献１参照）。
【先行技術文献】
【特許文献】
【０００３】
【特許文献１】特開２００９−２９６１０５号公報
【発明の概要】
【発明が解決しようとする課題】
【０００４】
しかしながら、近年の液晶ディスプレイの大型化及び高輝度化に伴い、液晶ディスプレイの発熱量が増大しているため、液晶ディスプレイの温度が高くなり易く、このため、液晶の本来の機能が低下し、液晶ディスプレイの表示面に画像を表示することができなくなるという現象(いわゆる、ブラックアウト)が生じてしまう。
特に、液晶ディスプレイの表示面の一端部から他端部にかけて冷却風が流れるように風路を形成した場合には、冷却風が出口に向かう過程で液晶パネルの発熱により空気温度が上昇するため冷却風の出口に相当する他端部で比較的温度が高くなり、この他端部の部位でブラックアウトが発生する。
このような表示面での冷却むらは、液晶ディスプレイに限らず、他の平面型ディスプレイでも問題になる。
本発明は、上述した事情に鑑みてなされたものであり、平面型ディスプレイの表示面の冷却むら抑制することができる電子看板を提供することを目的とする。
【課題を解決するための手段】
【０００５】
上記目的を達成するために、本発明は、平面型ディスプレイを筐体に納め、前記筐体に前記平面型ディスプレイの表示面と対向する位置に前記表示面との間に隙間をあけて透明板を設け、前記透明板を通して前記表示面を外側から視認可能にした電子看板において、前記隙間には前記表示面の一端縁部から他端縁部に向けて冷却風を送風し、前記冷却風の一部は前記一端縁部から分岐して前記一端縁部と前記他端縁部との間に供給したことを特徴とする。
【０００６】
上記構成において、前記一端縁部から分岐した前記冷却風を前記表示面の両側部から供給してもよい。
上記構成において、前記一端縁部と前記他端縁部との間に前記冷却風を供給する供給口を備え、この供給口を前記他端縁部に向けて斜めに配置してもよい。
上記構成において、前記一端縁部と前記他端縁部との間に前記冷却風を供給する供給風路を形成し、この供給風路を断熱材で被覆してもよい。
上記構成において、縦縦長の前記平面型ディスプレイを前記筐体内に立てた状態で納め、前記冷却風を前記表示面の下端縁部から上端縁部に向けて流してもよい。
上記構成において、前記一端縁部と前記他端縁部との間に前記冷却風を供給する供給口を備え、この供給口を前記他端縁部から前記表示面の長さの４分の１の位置に配置してもよい。
【発明の効果】
【０００７】
本発明によれば、隙間には表示面の一端縁部から他端縁部に向けて冷却風を送風し、冷却風の一部は一端縁部から分岐して一端縁部と他端縁部との間に供給したため、他端部での冷却能力が高められて端部と他端部との間の温度差が小さくなるので、表示面の冷却むらを抑えて、表示面全体を良好に冷却することができる。
【図面の簡単な説明】
【０００８】
【図１】本発明の実施形態に係る電子看板の外観構成を示す斜視図である。
【図２】電子看板の縦断面の一部を省略して示す図である。
【図３】看板本体の横断面図である。
【図４】液晶ディスプレイを示す模式図であり、（Ａ）は液晶ディスプレイを示す縦断面図であり、（Ｂ）は液晶ディスプレイを示す横断面図である。
【図５】液晶ディスプレイの上端部から供給口までの距離と液晶ディスプレイの表示面の最大温度との関係を示す図である。
【図６】液晶ディスプレイの表示面の温度の解析結果を示す図であり、（Ａ）は供給風路を配置しない場合の温度分布を示す図であり、（Ｂ）は供給風路を配置した場合の温度分布を示す図であり、（Ｃ）は（Ａ）及び（Ｂ）における温度の指標を示す図である。
【発明を実施するための形態】
【０００９】
以下、図面を参照して本発明の実施の形態について説明する。
図１は電子看板１の外観構成を示す斜視図である。なお、以下に述べる上下、左右、前後といった方向は、電子看板１を設置した状態でその前面側から見た場合の方向を示している。
電子看板１は、扁平な直方体状の外観を呈した看板本体２と、この看板本体２を支持する土台４と、看板本体２の内部を冷却する冷却ユニット６とを備えている。
【００１０】
看板本体２は、高さが２メートル、幅が１メートル程度の縦長の扁平な直方体状の筐体８を有し、その内部に液晶ディスプレイ１０が表示面１１を正面（前面）に向けて納められている。この表示面１１に対向する筐体８の正面は大きく開口し、その開口９には内部を視認可能に透明な硬質のガラス板（透明板）１２が嵌め込まれており、このガラス板１２を通じて表示面１１の全体を視認可能に構成されている。この表示面１１には、各種映像や文字情報が表示され可変表示型の広告媒体として用いられる。また、看板本体２は、ガラス板１２と筐体８の間にパッキンが配置されるなど密封構造を成し、街頭等の屋外での使用に耐える構造とされている。
【００１１】
土台４は、矩形枠状に組まれたフレーム枠１４と、このフレーム枠１４を支持する左右一対の支持脚１６とを備え、フレーム枠１４の枠内に看板本体２が嵌め込み固定されている。冷却ユニット６は、後述する冷凍サイクル４０（図２）を内蔵したユニットケース１８を備え、看板本体２の下端部側に配置されている。冷却ユニット６の冷凍サイクル４０による冷風によって看板本体２の内部、特に、液晶ディスプレイ１０が冷却される。
【００１２】
図２は電子看板１の縦断面を一部を省略して示す図であり、図３は看板本体２の横断面図である。
看板本体２が備える筐体８の内部には、図２及び図３に示すように、基板取付板２０が設けられ、この基板取付板２０により正面側空間２１Ａと背面側空間２１Ｂとに仕切られており、正面側空間２１Ａには上記液晶ディスプレイ１０が配置されている。また、基板取付板２０には背面側空間２１Ｂに臨む面に各種回路が設けられている。これらの回路には、例えば、液晶ディスプレイ１０の表示等を制御する表示制御回路や、当該液晶ディスプレイ１０に表示する映像や静止画像等から成る広告情報を外部から取得し保持する記憶回路、冷却ユニット６を駆動する冷却制御回路等が含まれている。
【００１３】
液晶ディスプレイ１０は、平面型ディスプレイであり、表示パネル（液晶パネル）２２を備える。この表示パネル２２には用途に応じて種々の形状のものが採用できる。本実施形態の液晶ディスプレイ１０では、表示パネル２２が縦長の長方形とされている。この液晶ディスプレイ１０は、筐体８の正面側空間２１Ａに形成した密封空間２８内に、周囲に空気が循環する循環流路３０を設けて固定されている。
【００１４】
循環流路３０は、図２に示すように、密封空間２８と液晶ディスプレイ１０の間の隙間３０Ａ〜３０Ｄから構成される。すなわち、正面側空間２１Ａの密封空間２８には、表示パネル２２の表示面１１とガラス板１２の間に隙間３０Ａが形成され、表示パネル２２の上端部２２Ａとの間に隙間３０Ｂが形成され、液晶ディスプレイ１０の裏面との間に隙間３０Ｃが形成され、表示パネル２２の下端部２２Ｂとの間に隙間３０Ｄが形成されている。これらの隙間３０Ａ〜３０Ｄは、表示パネル２２の周囲でこの順に環状に繋がっており、表示パネル２２を取り巻いている。上記ガラス板１２は、その上端部の正面側への突出量が筐体８に設けたスペーサ６０により調整可能にされている。
【００１５】
このような循環流路３０を形成することにより、表示パネル２２の表示面１１側の部分で発生した熱は、循環流路３０を通ることで、表示パネル２２の裏面側へ効率良く移動する。すなわち、筐体８の密封空間２８において表示パネル２２の裏面側に設けられた２組の循環用ファン５０が動作することにより、図中矢印で示すように空気が循環され、表示面１１側から裏面側に熱が輸送される。液晶ディスプレイ１０の裏面には、表示面１１側で発生した熱を回収する冷凍サイクル４０が設けられている。
【００１６】
冷凍サイクル４０の概要は、蒸発器４２と、この蒸発器４２の下側に配置された圧縮機４４、凝縮器４６及び膨張弁４８とを有し、蒸発器４２によって熱を回収し、回収した熱を凝縮器４６によって放出する。すなわち、蒸発器４２は、表示パネル２２の下端部２２Ｂ近傍の位置にて裏面側の隙間３０Ｃ内に設置されており、循環流路３０を流れる空気から熱を回収する。
また、圧縮機４４、凝縮器４６及び膨張弁４８は、それぞれ筐体８の下部であって密封空間２８の外に配置されており、凝縮器４６は筐体８に設けた例えば通気孔に面して配置され、凝縮器４６に通風させて放熱させる放熱用ファン５１が凝縮器４６に隣接して配置され、この放熱用ファン５１により送風することで、蒸発器４２によって回収された熱を、上記通気孔を通じて外へ放出する。
【００１７】
この構成によれば、重量のある冷凍サイクル４０を電子看板１の下部に配置したため、電子看板１が低重心となり、設置環境が不安定な屋外での使用において、電子看板１の安定性が向上する。また、蒸発器４２を密封空間２８の下部に配置したため、密封空間２８内の冷却効率が良く、表示パネル２２で発生した熱が循環流路３０の空気の循環の過程において蒸発器４２によって効率良く回収され凝縮器４６から効率良く筐体８に設けた通気孔を通じて外へ放出され、これにより、液晶ディスプレイ１０が冷却される。また、蒸発器４２と、圧縮機４４、凝縮器４６及び膨張弁４８との配管効率も良い。なお、冷凍サイクル４０に代えて循環流路３０に沿って流れる空気との間で熱交換可能な他の熱交換手段を採用してもよい。
【００１８】
上記循環流路３０には、当該循環流路３０内で空気を循環させて冷却風を生じさせる循環用ファン（送風ファン）５０が設けられている。循環用ファン５０は、循環流路３０のうち、液晶ディスプレイ１０の背面側の隙間３０Ｃの表示パネル２２の上端部２２Ａ近傍の位置と、下端部２２Ｂ近傍の位置とのそれぞれに配置されている。下端部２２Ｂ側の循環用ファン５０の下流に上記蒸発器４２が配置される。図示は省略するが、それぞれの箇所では複数の循環用ファン５０が流路の断面内（同一水平面内）に並列に配置されている。これら循環用ファン５０は、基板取付板２０に設けられた制御回路（不図示）により駆動制御される。
【００１９】
背面側に設けた各循環用ファン５０は、循環流路３０に沿って実線矢印Ａの方向へ冷却風を循環させる。すなわち、循環用ファン５０が駆動することにより、表示面１１側の隙間３０Ａ内を冷却風は、鉛直方向において隙間３０Ａの下端部の入口３０Ａ−２から上端部の出口３０Ａ−１に向けて流れ、そして当該隙間３０Ａの出口３０Ａ−１から表示パネル２２の上端部２２Ａ側の隙間３０Ｂを通って裏面側の隙間３０Ｃへ流れる。この隙間３０Ｃ内に流れ込んだ冷却風は、鉛直方向において上から下へ流れ、蒸発器４２を通過し、表示パネル２２の下端部２２Ｂ側の隙間３０Ｄを通って表示面１１側の隙間３０Ａへと戻る。
【００２０】
冷凍サイクル４０は、液晶ディスプレイ１０の発熱Ｗａ（単位Ｗ）と、日射による発熱Ｗｂ（単位Ｗ）とが生じた場合でも、液晶ディスプレイ１０の表示パネル２２の温度を目標温度（単位℃）以下に維持できる冷却能力に設計されている。この目標温度は表示パネル２２に画像が表示できなくなるという現象(いわゆる、ブラックアウト)が生じ得る温度（例えば６５℃）よりも所定温度だけ低い温度（例えば６０℃）に設定されている。また、この電子看板１は、日射が強く冷却能力が不足する場合（表示パネル２２の温度が目標温度以下にならない場合）には、表示パネル２２の輝度を低下させる機能も備えている。
【００２１】
これらの構成によれば、縦長の液晶ディスプレイ１０を筐体８内に立てた状態で納め、冷却風を表示面１１の下端部２２Ｂから上端部２２Ａに向けて流す構成としたため、屋外設置時の日射の影響などで上端部２２Ａに溜まり易い熱気を効率良く表示面１１側から排出することができ、当該表示面１１の上端部２２Ａでのブラックアウトを防止することができる。また、循環用ファン５０を背面側に配置する構成としたため、隙間３０Ａの幅を狭めて当該隙間３０Ａを通過する冷却風の流速を大きくできるため、表示面１１を効率よく冷却することができる。また、循環用ファン５０の下流に蒸発器４２を配置する構成としたため、表示面１１及び背面側の各種電気部品の発熱を効率よく蒸発器４２で回収できる。
【００２２】
ところで、循環流路３０の表示面１１側の隙間３０Ａにおいては、上述の通り、下から上に向かって冷却風が流れるため、表示面１１を通過する過程で冷却風が温まり、当該隙間３０Ａの出口３０Ａ−１（図２）が位置する表示パネル２２の上端部２２Ａでは、下端部２２Ｂに比べて温度が高くなる傾向がある。特に、日射による発熱によっては、表示パネル２２の上端部２２Ａだけがブラックアウトを生じる温度を超える場合がある。そこで、冷凍サイクル４０の冷却能力を更に高めて対策を講じると冷凍サイクル４０が高コスト化し、また、装置の大型化も招く。また、表示パネル２２の上端部２２Ａの温度が目標温度を超えないように表示パネル２２の輝度を低下させてしまうと、日射下での視認性が低下し過ぎてしまう。
【００２３】
そこで本実施形態では、循環流路３０の隙間３０Ａにおいて、隙間３０Ａの入口３０Ａ−２（図２）の冷却能力の余剰分を、出口３０Ａ−１に振り分ける構成としている。
図４は、液晶ディスプレイ１０を示す模式図であり、図４（Ａ）は液晶ディスプレイ１０を示す縦断面図であり、図４（Ｂ）は液晶ディスプレイ１０を示す横断面図である。なお、図４（Ａ）では、ガラス板１２が省略されている。
液晶ディスプレイ１０の表示パネル２２は、表示面１１の周囲に、当該表示パネル２２を支持するためのベゼル２３を備えている。ベゼル２３は、表示面１１の上端縁部（他端縁部）１１Ａに位置する上ベゼル２３Ａと、表示面１１の下端縁部（一端縁部）１１Ｂに位置する下ベゼル２３Ｂと、表示面１１の左右側部（両側部）１１Ｃ，１１Ｄに位置する左右ベゼル２３Ｃ，２３Ｄとを備えている。
【００２４】
本実施の形態の表示パネル２２には、隙間３０Ａの入口３０Ａ−２から送風される冷却風の一部を出口３０Ａ−１側に供給する２つの供給風路３１，３２が、左右ベゼル２３Ｃ，２３Ｄに設けられている。左側の供給風路３１は、表示面１１と左ベゼル２３Ｃとを仕切る仕切り板３３を配置することによって、筐体８の左側壁８Ａとガラス板１２と左ベゼル２３Ｃと仕切り板３３との間に形成される。また、右側の供給風路３２は、表示面１１と右ベゼル２３Ｄを仕切る仕切り板３４を配置することによって、筐体８の右側壁８Ｂとガラス板１２と右ベゼル２３Ｄと仕切り板３４との間に形成される。
供給風路３１，３２を形成する部分の左右側壁８Ａ，８Ｂ、ガラス板１２、左右ベゼル２３Ｃ，２３Ｄ、及び仕切り板３３，３４は、例えば発砲スチロール製の断熱材３５で覆われており、冷却風が供給風路３１，３２を流れる過程で温まるのを抑制できるように構成されている。
【００２５】
仕切り板３３，３４及びこれらの仕切り板３３，３４を覆う断熱材３５は、仕切り部材３６，３７を構成しており、これらの仕切り部材３６，３７は、厚さが比較的薄く（例えば、約５ｍｍ）形成され、表示面１１に近接した位置の左右ベゼル２３Ｃ，２３Ｄに固定されている。したがって、各仕切り板３３，３４は、厚さが比較的薄くても冷却風によって変形しない程度の強度を有する材料（例えば鉄やアルミ）で形成されるのが望ましい。
このように、仕切り部材３６，３７は、比較的薄く形成されるとともに、表示面１１に近接した位置の左右ベゼル２３Ｃ，２３Ｄに配置されるため、表示面１１を阻害することなく、供給風路３１，３２の流路幅を比較的大きく取ることができ、比較的多くの冷却風を出口３０Ａ−１側に供給できる。
【００２６】
各仕切り部材３６，３７の一端３６Ａ，３７Ａは、表示面１１の下端縁部１１Ｂに配置されている。一方、各仕切り部材３６，３７の他端３６Ｂ，３７Ｂは、表示面１１の上端縁部１１Ａと下端縁部１１Ｂとの間の位置に配置されており、この他端３６Ｂ，３７Ｂが供給風路３１，３２の供給口３１Ａ，３２Ａとなる。
このように供給風路３１，３２を設けることで、隙間３０Ａに送風される冷却風が、仕切り板３３，３４間を流れる冷却風と、供給風路３１，３２を流れる冷却風に分岐され、供給風路３１，３２を流れて温まっていない冷却風が下端縁部１１Ｂと上端縁部１１Ａとの間に供給される。また、供給風路３１，３２を流れる冷却風は、表示面１１の両側部１１Ｃ，１１Ｄから供給されるので、上端縁部１１Ａの幅方向全体を冷却できる。
【００２７】
また、各供給風路３１，３２は、左右側壁８Ａ，８Ｂに沿って延びる断熱材３５が左右側壁８Ａ，８Ｂから表示面１１側に傾斜して形成された傾斜部３８を備え、この傾斜部３８によって、各供給口３１Ａ，３２Ａが、表示面１１の上端縁部１１Ａに向けて斜めに配置される。これにより、供給口３１Ａ，３２Ａを両側部１１Ｃ，１１Ｄに対して直交するように設ける場合に比べ、供給風路３１，３２からの冷却風が仕切り板３３，３４間を流れる冷却風と円滑に合流し、合流部に淀み等が生じないので、出口３０Ａ−１付近の表示面１１を効率よく冷却できる。
【００２８】
出口３０Ａ−１付近の液晶ディスプレイ１０の表示面１１の温度は、供給口３１Ａ，３２Ａを表示面１１の高さ方向のどの位置に設定したかによって変わる。本実施の形態では、表示面１１の高さ方向において、表示面１１の長さＬ１は１５４９ｍｍであり、表示パネル２２の長さＬ２は１６１０ｍｍであり、上下ベゼル２３Ａ，２３Ｂの長さＬ３はそれぞれ３０．５ｍｍである。以下、表示面１１の高さ方向における供給口３１Ａ，３２Ａの配置位置を表示面１１の上端縁部１１Ａからの距離Ｄとして説明する。
【００２９】
図５は、表示面１１の上端縁部１１Ａから供給口３１Ａ，３１Ｂまでの距離Ｄと液晶ディスプレイ１０の表示面１１の最大温度との関係を示す図である。
距離Ｄが２００ｍｍ及び４００ｍｍの場合、供給風路３１，３２を設けない場合（距離Ｄ＝０ｍｍ）と比べると、液晶ディスプレイ１０の最大温度が低くなっている。特に、距離Ｄが４００ｍｍの場合には、供給風路３１，３２を設けない場合に比べ、液晶ディスプレイ１０の最大温度が約２．９℃低くなっている。なお、距離Ｄが４００ｍｍの場合とは、供給口３１Ａ，３１Ｂが表示面１１の上端縁部１１Ａから約１／４Ｌ１の位置に配置された場合である。
【００３０】
一方、距離Ｄが６００ｍｍの場合、すなわち、供給口３１Ａ，３１Ｂが液晶ディスプレイ１０の上端縁部１１Ａと下端縁部１１Ｂとの間の中間位置に近くなると、供給風路３１，３２を設けない場合よりも、液晶ディスプレイ１０の最大温度が高くなっている。
したがって、供給口３１Ａ，３２Ａの配置位置が表示面１１の上端縁部１１Ａから約１／４Ｌ１（距離Ｄ＝４００ｍｍ）となるように供給風路３１，３２を設けることで、液晶ディスプレイ１０の最大温度を良好に下げることができる。
【００３１】
図６は、液晶ディスプレイ１０の表示面１１の温度の解析結果を示す図であり、図６（Ａ）は供給風路３１を配置しない場合の温度分布を示す図であり、図６（Ｂ）は供給風路３１を配置した場合の温度分布を示す図であり、図６（Ｃ）は図６（Ａ）及び図６（Ｂ）における温度の指標を示す図である。なお、図６（Ａ）及び図６（Ｂ）では、液晶ディスプレイ１０の左半分をモデルとして解析した結果が図示されている。
図６（Ａ）に示すように、供給風路３１を配置しない場合、表示面１１の下端縁部１１Ｂから上端縁部１１Ａに掛けて、約２０℃の温度Ｔ０から５０℃を超える温度Ｔ１へと徐々に高くなっている。５０℃を超える温度Ｔ１は、表示面１１の高さ方向の約４分の１の範囲である上部範囲Ｑの大部分を占めている。
【００３２】
一方、図６（Ｂ）に示すように、供給口３１Ａの位置が表示面１１の上端縁部１１Ａから４００ｍｍの位置となるように供給風路３１を配置した場合、図６（Ａ）に示す供給風路３１を配置しない場合と比べると、表示面１１の下端縁部１１Ｂ付近では略同一の約２０℃の温度Ｔ０となっているが、表示面１１の下端縁部１１Ｂ以外の部分で温度が低くなっている。特に、表示面１１の上部範囲Ｑでは、５０℃を超える温度Ｔ１の部分が大幅に減少し、５０℃未満の温度Ｔ２〜Ｔ６の部分が大部分を占めている。したがって、下端縁部１１Ｂと上端縁部１１Ａとの温度差が小さくなっている。
また、下端縁部１１Ｂから上端縁部１１Ａへの温度勾配については、図６（Ａ）に示す供給風路３１を配置しない場合に比べ、約２．４℃低くなっていた。
【００３３】
したがって、供給口３１Ａ，３２Ａの位置が表示面１１の上端縁部１１Ａから約１／４Ｌ１（４００ｍｍ）の位置となるように供給風路３１，３２を設けることで、液晶ディスプレイ１０の表示面１１の最大温度を低下させるだけでなく、下端縁部１１Ｂと上端縁部１１Ａとの温度差を小さくして表示面１１での冷却むらを抑え、供給風路３１，３２を設けないときよりも表示面１１の温度を全体的に下げることができる。
【００３４】
以上説明したように、本実施の形態によれば、隙間３０Ａには表示面１１の下端縁部１１Ｂから上端縁部１１Ａに向けて冷却風を送風し、冷却風の一部は下端縁部１１Ｂから分岐して下端縁部１１Ｂと下端縁部１１Ｂとの間に供給する構成とした。この構成により、下端縁部１１Ｂの冷却能力が上端縁部１１Ａに振り分けられて、上端縁部１１Ａでの温度を低くし、下端縁部１１Ｂと上端縁部１１Ａとの温度差を小さくできる。この結果、表示面１１での冷却風による冷却むらを良好に抑制できる。
【００３５】
また、本実施の形態によれば、下端縁部１１Ｂから分岐した冷却風を表示面１１の両側部１１Ｃ，１１Ｄから供給する構成とした。この構成により、下端縁部１１Ｂから分岐した冷却風を表示面１１の左側部１１Ｃ又は右側部１１Ｄの一方から配置する場合に比べ、上端縁部１１Ａの幅方向全体が冷却されるので、表示面１１の幅方向に亘って下端縁部１１Ｂと上端縁部１１Ａとの温度差を小さくできる。この結果、表示面１１での冷却風による冷却むらを良好に抑制できる。
【００３６】
また、本実施の形態によれば、供給口３１Ａ，３２Ａを上端縁部１１Ａに向けて斜めに配置する構成とした。この構成により、供給口３１Ａ，３２Ａを両側部１１Ｃ，１１Ｄに対して直交するように設ける場合に比べ、供給風路３１，３２からの冷却風を、仕切り板３３，３４間を流れる冷却風と円滑に合流させることができ、表示面１１を効率よく冷却できる。
【００３７】
また、本実施の形態によれば、上端縁部１１Ａと下端縁部１１Ｂとの間に冷却風を供給する供給風路３１，３２を形成し、この供給風路３１，３２を断熱材３５で被覆する構成とした。この構成により、冷却風が供給風路３１，３２を流れる過程で温まるのを抑制できるので、上端縁部１１Ａでの温度をより低くし、下端縁部１１Ｂと上端縁部１１Ａとの温度差を小さくできる。この結果、表示面１１での冷却風による冷却むらを良好に抑制できる。
【００３８】
また、本実施の形態によれば、縦長の液晶ディスプレイ１０を筐体８内に立てた状態で納め、冷却風を表示面１１の下端部２２Ｂから上端部２２Ａに向けて流す構成とした。この構成により、屋外設置時の日射の影響などで上端部２２Ａに溜まり易い熱気を効率良く表示面１１側から排出することができ、当該表示面１１の上端部２２Ａでのブラックアウトを防止することができる。
【００３９】
また、本実施の形態によれば、上端縁部１１Ａと下端縁部１１Ｂとの間に冷却風を供給する供給口３１Ａ，３２Ａを備え、この供給口３１Ａ，３２Ａを上端縁部１１Ａから表示面１１の長さＬ１の４分の１の位置に配置する構成とした。この構成により、供給風路３１，３２を配置しない場合に比べ、液晶ディスプレイ１０の表示面１１の最大温度を良好に下げることができる。これにより、上端縁部１１Ａでのブラックアウトを確実に防止することができる。
【００４０】
但し、上記実施の形態は本発明の一態様であり、本発明の趣旨を逸脱しない範囲において適宜変更可能であるのは勿論である。
例えば、上記実施の形態では、供給風路３１，３２は、左右ベゼル２３Ｃ，２３Ｄの両方に設けられていたが、例えば表示面１１の幅が狭い場合等には、左右ベゼル２３Ｃ，２３Ｄの一方に設けられても良い。
また、上記実施の形態では、各仕切り部材３６，３７の一端３６Ａ，３７Ａは、表示面１１の下端縁部１１Ｂに配置され、表示面１１の下端縁部１１Ｂから冷却風を分岐していたが、これに限定されるものではなく、例えば、下ベゼル２３Ｂに配置されてもよく、また、表示パネル２２の下端部２２Ｂの下方に位置していてもよい。
【００４１】
また、上記実施の形態では、供給風路３１，３２が表示パネル２２の左右ベゼル２３Ｃ，２３Ｄに設けられていたが、左右ベゼル２３Ｃ，２３Ｄを狭く形成した場合等には、表示パネル２２の外側に設けられてもよい。
供給風路３１，３２は、仕切り板３３，３４を設けることによって形成されていたが、ダクトで形成してもよい。この場合、ダクトを断熱材で被覆するとともに、隙間３０Ａの入口３０Ａ−２から上端縁部１１Ａと下端縁部１１Ｂとの間に延出するダクトを左右ベゼル２３Ｃ，２３Ｄにそれぞれ配置する構成とすればよい。
【００４２】
また、上記実施の形態では、液晶ディスプレイ１０の表示面１１の下端縁部１１Ｂから上端縁部１１Ａにかけて冷却風を流す構成としたが、一方向に流す構成であれば、任意の方向に冷却風を流してもよい。この場合、冷却風の下流側に供給口３１Ａ，３２Ａを配置すればよい。
また、上記実施の形態では、液晶ディスプレイ１０を密封空間２８内に配置し、その周囲に冷却風を循環させる構成としたが、これに限らず、表示面１１側の隙間３０Ａの出口３０Ａ−１からでた冷却風を外部に排出してもよい。
【００４３】
また、上記実施の形態では、表示面１１に対向配置される透明板としてガラス板１２を例示したが、内部が視認可能程度に透明な板材であれば任意の材質の板材を用いることができる。
また、上記実施の形態では、平面型ディスプレイに液晶ディスプレイ１０を例示したが、本発明は、表示面１１をむらなく冷却することが好ましい他の平面型ディスプレイ（例えば、有機ＥＬディスプレイやプラズマディスプレイなど）を備えた電子看板にも適用することができる。
【符号の説明】
【００４４】
１  電子看板
８  筐体
１０  液晶ディスプレイ（平面型ディスプレイ）
１１  表示面
１１Ａ  上端縁部（他端縁部）
１１Ｂ  下端縁部（一端縁部）
１１Ｃ  左側部（両側部）
１１Ｄ  右側部（両側部）
１２  ガラス板（透明板）
３０Ａ  隙間
３１，３２  供給風路
３１Ａ，３２Ａ  供給口
３５  断熱材
【図１】
2011180182.tif 000003
【図２】
2011180182.tif 000004
【図３】
2011180182.tif 000005
【図４】
2011180182.tif 000006
【図５】
2011180182.tif 000007
【図６】
2011180182.tif 000008